(57)【要約】【課題】  就寝中や活動中に木酢液含有粉末の作用を利用して体内の不要な水分を老廃物と共に吸い出しても、これにより生ずるベトベト液の戻りが少なくベトつきが抑さえられるような、木酢液含有粉末入り添付袋を提供する。【解決手段】  人体やペットの体に添付する側が半透過性を有すると共に他側が撥水性を有する袋を形成し、内部に木酢液含有粉末を充填して塞ぎ、体に固定するための粘着部とこの粘着部を覆う剥離紙とを設けて成る。【選択図】  図１
0003104874.tif 000002
【実用新案登録請求の範囲】
【請求項１】
人体やペットの体に添付する側が半透過性を有すると共に他側が撥水性を有する袋を形成し、内部に木酢液含有粉末を充填して塞いで成り、前記袋は体に固定するための粘着シートを備えており粘着シートの粘着面を覆う剥離紙が設けられていることを特徴とする、木酢液含有粉末入り添付袋。
【請求項２】
人体やペットの体に添付する側が半透過性を有すると共に他側が撥水性を有する袋を形成し、内部に木酢液含有粉末を充填して塞いで成り、前記袋は体に添付する側に透水性を有する粘着面が設けられており、この粘着面を覆う剥離紙が設けられていることを特徴とする、木酢液含有粉末入り添付袋。
【請求項３】
人体やペットの体に添付する側が透水性を有すると共に他側が撥水性を有する袋を形成し、内部に木酢液含有粉末を充填して塞いで成り、前記袋は体に添付する側の外側に体から出る液体に対して半透過性を有するシートが設けられていると共に、体に固定するための粘着シートを備えており粘着シートの粘着面を覆う剥離紙が設けられていることを特徴とする、木酢液含有粉末入り添付袋。
【請求項４】
人体やペットの体に添付する側が透水性を有すると共に他側が撥水性を有する袋を形成し、内部に木酢液含有粉末を充填して塞いで成り、前記袋は体に添付する側の外側に体から出る液体に対して半透過性を有するシートが設けられていると共に、この半透過性を有するシートの表面側に透水性を有する粘着面が設けられており、この粘着面を覆う剥離紙が設けられていることを特徴とする、木酢液含有粉末入り添付袋。
【請求項５】
前記半透過性を有するシートが袋に対して剥離可能に設けられている、請求項３または請求項４に記載の木酢液含有粉末入り添付袋。
【請求項６】
人体やペットの体に添付する側が透水性を有すると共に他側が撥水性を有する袋を形成し、内部に木酢液含有粉末を充填して塞いで成り、前記袋は体に添付する側の内側に体から出る液体に対して半透過性を有するシートが設けられていると共に、体に固定するための粘着シートを備えており粘着シートの粘着面を覆う剥離紙が設けられていることを特徴とする、木酢液含有粉末入り添付袋。
【請求項７】
人体やペットの体に添付する側が透水性を有すると共に他側が撥水性を有する袋を形成し、内部に木酢液含有粉末を充填して塞いで成り、前記袋は体に添付する側の内側に体から出る液体に対して半透過性を有するシートが設けられていると共に、この半透過性を有するシートの表面側に透水性を有する粘着面が設けられており、この粘着面を覆う剥離紙が設けられていることを特徴とする、木酢液含有粉末入り添付袋。
【請求項８】
人体やペットの体に添付する側が体から出る液体に対し半透過性を有する素材から成る袋を形成し、この内部に木酢液含有粉末を充填して塞いで成ると共に、粘着面を覆う剥離紙が張られた体に固定するための撥水性を有する粘着シートを備えていることを特徴とする、木酢液含有粉末入り添付袋。
【考案の詳細な説明】
【技術分野】
【０００１】  この考案は、体から吸能動的に吸い出した体内の不要な水分の、吸収分が再び体側に戻ってベトついたりすることを抑さえられるようにした、人体やペットの体に添付する木酢液含有粉末入りの袋に関するものである。
【背景技術】
【０００２】  従来より、木酢液含有粉末を充填した透水性の袋を足の裏などに貼ることによって体内の不要な水分を老廃物と共に吸い出すという、実際に優れた効果を上げているものがある。またこのものはクレオソートなどの薬効成分を発散するものであり、殺菌防腐作用の他に効果的持続的に血行促進を行なうなどの作用が知られている。従ってこれを身体各部に添付して使用したいと言う要求がある。なお木酢液含有粉末からは自然治癒力を高める波動が発生しておりこの波動は皮膚から入れるのが良いと言われていることもあって、皮膚に添付して使用することが好ましい。この先行技術として特開２００１−３０１７６５号や特開２００２−３２２０８０号や特開２００３−３４２１９１号の発明を上げることが出来る。なお木酢液含有粉末は木酢液（竹酢液などもこのカテゴリーに含まれる）を加熱乾燥させたり、澱粉に含ませて乾燥させることによって得られる。
【特許文献１】特開２００１−３０１７６５号公報
【特許文献２】特開２００２−３２２０８０号公報
【特許文献３】特開２００３−３４２１９１号公報
【考案の開示】
【考案が解決しようとする課題】
【０００３】  ところで木酢液含有粉末を充填した透水性の袋を足の裏などに貼っておくと、袋の中の木酢液含有粉末が作用して能動的に、体内の不要な水分を老廃物と共に吸い出すことが知られている。しかしながらこのように不要な水分を吸い出してくれるのは良いのであるが木酢液含有粉末に吸われてベトベトに成ったものが袋の表面から再び体側に戻って皮膚に粘り着くと言う問題がある。【０００４】  例えば就寝前に足裏に添付しておくと、就寝中に体内の不要な水分を吸い出してくれるが、起床時にこの袋を足裏から取る段になって足裏に付着したベトベトしたものを取り去るには丁寧に洗い落とさなくてはならない。これとても時間が掛かる作業であり、出勤前の忙しい時間にこのような作業を行なわなくてはならないのは真に煩わしいことである。また日中の活動中にこの袋を足裏に添付しておくことがあるが、歩いている内に足裏がベトベトしたり、ひどい場合には靴を駄目にしてしまうことがある。なお足裏以外の身体部位への添付に於いても同様である。またペットの体に添付する場合では、ベトベトした液が毛に付着するため、それを洗うのが大仕事となる。【０００５】  従ってこの考案は、体内の不要な水分を吸い出しても戻りが少なく、ベトつきが抑さえられるような、木酢液含有粉末入り添付袋の提供を課題とする。
【課題を解決するための手段】
【０００６】  上記の課題は、人体やペットの体に添付する側が半透過性を有すると共に他側が撥水性を有する袋を形成し、内部に木酢液含有粉末を充填して塞いで成り、前記袋は体に固定するための粘着シートを備えており粘着シートの粘着面を覆う剥離紙が設けられていることを特徴とする、木酢液含有粉末入り添付袋とすることにより達成される。なお粘着シートに関しては、添付袋が粘着シートに最初から付いて一体である場合と、添付袋と粘着シートとは別体であって体に添付する際に粘着シートで添付袋を固定する場合とがある。【０００７】  この袋は粘着シートの粘着面のほぼ中央部分に位置させるようにするとよい。粘着シートから剥離紙を剥離すると粘着面が現われるので、この粘着面を以て体の所要箇所に接着させるようにする。【０００８】  この袋を体に添付しておくと、内部の木酢液含有粉末が人体やペットの体内の不要な水分を能動的に吸い出す。この水分は木酢液含有粉末を湿らせてベトベトになるが、袋の体に添付する側が体から出る液体に対して半透過性を有しているものであるため、このベトベトしたものが袋の表面から再び体側に戻って皮膚に粘り着くと言うような現象が抑さえられる。なお袋の反対側の面からはその撥水性のために水分が外へ漏れ出すことがない。【０００９】  なお半透過性とは、体から吸い出した水分は透すが、この逆に体側に透すことはないと言う性質を表わす。このような半透過性シートはすでに紙おむつや生理用品などに使用されているものを利用することが出来る。この参考文献としては例えば特開２００２−１６１４７７号の「耐久透水性付与材及びその繊維」がある。また例えば特開平０８−２６９８５９号の「複合不織布および該複合不織布を用いた衛生材料」がある。半透過性を有する複合不織布などは膚触りの点からしてもこの考案の木酢液含有粉末入り添付袋に好適な材料である。【００１０】  また上記の課題は、人体やペットの体に添付する側が半透過性を有すると共に他側が撥水性を有する袋を形成し内部に木酢液含有粉末を充填して塞いで成り、前記袋は体に添付する側に透水性を有する粘着面が設けられており、この粘着面を覆う剥離紙が設けられていることを特徴とする、木酢液含有粉末入り添付袋とすることにより達成される。【００１１】  粘着面から剥離紙を剥離すると粘着面が現われるので、この粘着面を以て人体やペットの体の所要箇所に接着させるようにするのである。この粘着面は透水性を有しているため、体から吸い出した液体を透過させることが出来るのである。従って添付袋の体に添付する側はベトベトした液を体側に戻さないために、体に対する粘着力が低下することがないと言う効果を奏する。【００１２】  また上記の課題は、人体やペットの体に添付する側が透水性を有すると共に他側が撥水性を有する袋を形成し、内部に木酢液含有粉末を充填して塞いで成り、袋は体に添付する側の外側に体から出る液体に対して半透過性を有するシートが設けられていると共に、体に固定するための粘着シートを備えており粘着シートの粘着面を覆う剥離紙が設けられていることを特徴とする、木酢液含有粉末入り添付袋とすることにより達成される。【００１３】  内部に木酢液含有粉末を充填して塞いだ、人体��ペットの体に添付する側が透水性を有すると共に他側が撥水性を有する袋は、従来の木酢液含有粉末入り添付袋そのものであるが、この考案では更に体に添付する側の外側に半透過性を有するシートを設けている。従って袋の中のベトベトしたものは袋の透水性を有する側から袋の表面に染み出すものの、そこには半透過性を有するシートが設けられているため、結果的にベトベトした液が袋の表面から再び体側に戻り皮膚に粘り着くと言うような現象が抑さえられるのである。【００１４】  なお、この構成の木酢液含有粉末入り添付袋に於いて、前記半透過性を有するシートが袋に対して剥離可能に設けられているものとすることが出来る。半透過性を有するシートを剥離すると、その内側にある透水性を有する面が露出するため、ここに焦茶色のベトベトしたものを見ることが出来るのである。【００１５】  元々木酢液含有粉末を充填した透水性の袋を足の裏などに貼ることにより体内の不要な水分を老廃物と共に吸い出すことが目的であるから、その成果を知りたくなるのも当然である。そのためには吸い出しの成果としてのベトベトした液を確認し得るようにすることが好ましいのであるが、上述のような理由でベトつきを抑さえざるを得ない。ところが必要に応じて半透過性を有するシートを剥離し透水性を有する面を露出可能とすることにより、この二律背反状態を解消することが出来るのである。すなわちベトベトした液が体側に戻ることなく、また確認したいのであればベトベトした液を見ることが出来るのである。【００１６】  また上記の課題は、人体やペットの体に添付する側が透水性を有すると共に他側が撥水性を有する袋を形成し、内部に木酢液含有粉末を充填して塞いで成り、袋は体に添付する側の外側に体から出る液体に対して半透過性を有するシートが設けられていると共に、この半透過性を有するシートの表面側に透水性を有する粘着面が設けられており、この粘着面を覆う剥離紙が設けられていることを特徴とする、木酢液含有粉末入り添付袋とすることにより達成される。【００１７】  上述したように、粘着面は透水性を有しているため、体から吸い出した液体を透過させることが出来る。半透過性を有するシートはベトベトした液が袋の表面から再び体側に戻り皮膚に粘り着くと言うような現象を抑さえると共に粘着面の体に対する粘着力を低下させない。なお前記半透過性を有するシートが袋に対して剥離可能に設けられているものとすると、上述したように、半透過性を有するシートを剥離した時に焦茶色のベトベトしたものが得られたことを確認することが出来る。【００１８】  また上記の課題は、人体やペットの体に添付する側が透水性を有すると共に他側が撥水性を有する袋を形成し、内部に木酢液含有粉末を充填して塞いで成り、袋は体に添付する側の内側に体から出る液体に対して半透過性を有するシートが設けられていると共に、体に固定するための粘着シートを備えており粘着シートの粘着面を覆う剥離紙が設けられていることを特徴とする、木酢液含有粉末入り添付袋とすることにより達成される。【００１９】  また上記の課題は、人体やペットの体に添付する側が透水性を有すると共に他側が撥水性を有する袋を形成し、内部に木酢液含有粉末を充填して塞��で成り、袋は体に添付する側の内側に体から出る液体に対して半透過性を有するシートが設けられていると共に、この半透過性を有するシートの表面側に透水性を有する粘着面が設けられており、この粘着面を覆う剥離紙が設けられていることを特徴とする、木酢液含有粉末入り添付袋とすることにより達成される。【００２０】  この何れの構成に於いても、袋の透水性を有する側の内側に半透過性を有するシートを設けているので、袋の外側が透水性を有していたとしても、ベトベトした液は半透過性を有するシートに阻まれて戻ることがない。粘着シートや透水性を有する粘着面に付いては上述した通りである。【００２１】  また上記の課題は、人体やペットの体に添付する側が体から出る液体に対し半透過性を有する素材から成る袋を形成し、この内部に木酢液含有粉末を充填して塞いで成ると共に、粘着面を覆う剥離紙が張られた体に固定するための撥水性を有する粘着シートを備えていることを特徴とする、木酢液含有粉末入り添付袋とすることにより達成される。粘着シートが撥水性を有しているために、袋の粘着シート側の素材は透水性のものであっても、撥水性のものであってもどちらでもよい。【００２２】  この袋を体に添付しておくと、内部の木酢液含有粉末が人体やペットの体内の不要な水分を能動的に吸い出す。この際袋の体に添付する側が体から出る液体に対して半透過性を有しているものであるため、このベトベトしたものが袋の表面から再び体側に戻って皮膚に粘り着くことが抑さえられるのである。なお添付袋と粘着シートとを一体にしておく場合と、使用時に初めて粘着シートを添付袋に貼り付けるようにする場合とがある。
【考案の効果】
【００２３】  この考案によれば、体内の不要な水分を吸い出しても戻りが少なく、ベトつきが抑さえられると言う効果を奏する。
【考案を実施するための最良の形態】
【００２４】  第１実施形態
この実施形態の木酢液含有粉末入り添付袋は、図１乃至図３で表わされているように、撥水性不織布２と半透過性不織布５とで密封された袋を形成し、この袋の中に木酢液含有粉末３を納めて成る。半透過性不織布５は透水性不織布に半透性フィルムを張り合わせて成るものである。そして図２で表わされているように粘着シート６の粘着剤６０の側のほぼ中央部分に上述の袋を撥水性不織布２の側が粘着剤６０に接するようにして接着し、更に粘着剤６０の側に剥離紙４が接着されている。なお符号５０は半透過性不織布５の周縁部の溶着部を指す。【００２５】  この木酢液含有粉末入り添付袋を使用するには、前記剥離紙４を剥離した後に粘着シート６の粘着剤６０を以て体に貼り付けるようにする。これにより半透過性不織布５の側が体に接するようにして固定されることになる。図１及び図３で表わされているように、木酢液含有粉末３が体液を吸い出すと、この体液は半透過性不織布５を透過して木酢液含有粉末３を湿らせるが（細矢線）こうして出来たベトベト液Ｂが半透過性不織布５を逆戻りして袋の外に出ることはないのである（太矢線）。なお粘着シート６は袋の人体やペットの体への固定をテーピング等よりも容易なものとしている。【００２６】  第２実施形態
この実施形態の木酢液含有粉末入り添付袋は、図４及び図５で表わされているように、透水性不織布１と撥水性不織布２とで密封された袋を形成し、透水性不織布１の外面側に半透過性不織布５を剥離可能に張り付け、この袋の中に木酢液含有粉末３を納めて成るものである。なお半透過性不織布５の外側には透水性粘着剤７が塗布されており、さらにその外側には剥離紙４が接着されている。また半透過性不織布５の一部、及びこれに合わせて剥離紙４の一部は透水性不織布１の周縁部の溶着部１０よりも外側に突設された剥離つまみ５１とされている。【００２７】  この木酢液含有粉末入り添付袋は前記剥離紙４を剥離した後、前記透水性粘着剤７を以て体に接着される。木酢液含有粉末３によって吸い出された体液は透水性粘着剤７、半透過性不織布５、透水性不織布１を順次透過して木酢液含有粉末３を湿らせるのであるが（細矢線）、こうして出来たベトベト液Ｂは透水性不織布１と半透過性不織布５との間までは逆戻りするものの、半透過性不織布５より外には出ることが出来ない（太矢線）。【００２８】  特にこの実施形態の木酢液含有粉末入り添付袋は、半透過性不織布５を透水性不織布１から剥離することが出来るようになっている。従って剥離つまみ５１をつまんで引っ張り半透過性不織布５を剥離すると、この剥離面にベトベト液Ｂが付着している様子を見ることが出来るのである。この状態を図５で表わす。このことにより木酢液含有粉末３の成果が目で確認されるのである。なお透水性粘着剤７を用いずとも、例えばドット状に粘着剤を隙間を空けて塗布するようにすれば、透水性を実現することが可能である。【００２９】  第３実施形態
この実施形態の木酢液含有粉末入り添付袋は、図６で表わされているように、透水性不織布１と撥水性不織布２とで密封された袋を形成し、透水性不織布１の外面側に半透過性不織布５を張り付け、この袋の中に木酢液含有粉末３を納めて成るものである。すなわち従来の木酢液含有粉末入り添付袋の透水性不織布１の側に半透過性不織布５を張り付けて成るものが、この実施形態の木酢液含有粉末入り添付袋であると見ることが可能である。なお粘着シート６の粘着剤６０の側のほぼ中央部に上述の袋を撥水性不織布２の側が粘着剤６０に接するようにして接着し、更に粘着剤６０の側に図示しない剥離紙４が接着されている。なお粘着シート６を使用する代わりに、第２実施形態で説明したように半透過性不織布５の外側に透水性粘着剤７を塗布して成るものとすることも可能である。【００３０】  この木酢液含有粉末入り添付袋は、剥離紙４を剥離した後、半透過性不織布５の側が体に着くようにして添付される。図６で表わされているように木酢液含有粉末３が体液を吸い出すと、この体液は半透過性不織布５と透水性不織布１とを透過して木酢液含有粉末３を湿らせるが（細矢線）、こうして出来たベトベト液Ｂは透水性不織布１を逆戻りして透水性不織布１と半透過性不織布５との間までは戻るものの、半透過性不織布５より外に出ることはない（太矢線）。【００３１】  第４実施形態
この実施形態の木酢液含有粉末入り添付袋は、図７で表わされているように、透水性不織布１の内側となる側に半透過性不織布５を張り付け、これと撥水性不織布２とで密封された袋を形成し、この袋の中に木酢液含有粉末３を納めて成るものであり、さらに半透過性不織布５の外側には透水性粘着剤７が塗布されていると共に、この透水性粘着剤７の外側には剥離紙４が接着されている。なお透水性粘着剤７を使用する代わりに、第１実施形態で説明したような粘着シート６を使用した構成とすることが出来る。【００３２】  この木酢液含有粉末入り添付袋は、剥離紙４を剥離した後、透水性粘着剤７によって透水性不織布１の側が体に着くようにして添付される。図７で表わされているように木酢液含有粉末３が吸い出した体液は、透水性不織布１と半透過性不織布５とを透過して木酢液含有粉末３を湿らせるが（細矢線）、こうして出来たベトベト液Ｂは半透過性不織布５より外に出ることはない（太矢線）。【００３３】  第５実施形態
この実施形態の木酢液含有粉末入り添付袋は、図８で表わされているように、体に着く側を半透過性不織布５とし、そうでない側を透水性不織布１とし、これ等で密封された袋を形成してこの袋の中に木酢液含有粉末３を納め、この袋より大きな粘着シート６のほぼ中央部に粘着シート６の粘着剤６０を以て、袋を透水性不織布１の側から貼り付け、更に粘着剤６０の面に剥離紙４を貼り付けて成るものである。なお前記袋も粘着シート６も共に円形状のものとした。【００３４】  この実施形態の木酢液含有粉末入り添付袋によれば、透水性不織布１側の撥水性が粘着シート６の防水性を利用したものとなっている点に特徴を有する。
【産業上の利用可能性】
【００３５】  なおこの考案は上述した実施形態にのみ限定されないから、袋の各部の材質の選択は任意であり、特に不織布でなくともよい。また袋形状なども自由に決めることが出来る。また第１、第３、第５実施形態では袋を粘着シートに貼り付け、粘着剤の面に剥離紙を貼り付けているが、これとは別に袋と、剥離紙が貼り付けられた粘着シートとの組として、使用時に粘着シートから剥離紙を取り去り粘着面に袋を貼り付けるようにして使用するタイプのものも提供可能である。また袋内の木酢液含有粉末には、ムラサキイペ、キャッツクロー、ショウガエキス等、各種ハーブ、ミネラル、ビタミン類を混入させたものも提供可能である。上述した波動を重視する場合には石粉等を混入してもよい。なおこの考案では、体内の不要な水分を老廃物と共に吸い出す作用のあるものであれば、木酢液含有粉末の代替として使用することが可能であり、このような構成もこの考案の権利範囲内のものである。
【図面の簡単な説明】
【００３６】
【図１】  第１実施形態の部分断面図である。
【図２】  同実施形態の平面図である。
【図３】  同実施形態の説明図である。
【図４】  第２実施形態の使用状態説明図である。
【図５】  同実施形態の使用状態説明図である。
【図６】  第３実施形態の部分断面図である。
【図７】  第４実施形態の断面図である。
【図８】  第５実施形態の部分破断説明図である。
【符号の説明】
【００３７】  １    透水性不織布
１０  溶着部
２    撥水性不織布
３    木酢液含有粉末
４    剥離紙
５    半透過性不織布
５０  溶着部
５１  剥離つまみ
６    粘着シート
６０  粘着剤
７    透水性粘着剤
Ｂ    ベトベト液
【図１】
0003104874.tif 000003
【図２】
0003104874.tif 000004
【図３】
0003104874.tif 000005
【図４】
0003104874.tif 000006
【図５】
0003104874.tif 000007
【図６】
0003104874.tif 000008
【図７】
0003104874.tif 000009
【図８】
0003104874.tif 000010